(57)【要約】  折り畳み可能なエンクロージャは、相互に結合された少なくとも前壁部と、後壁部と、第１の側壁部と、第２の側壁部と、上壁部と、底壁部とを含む複数の壁部によって形成され、室内部を形成する本体部を有している。各壁部は、少なくとも１つの複数の変形可能なフレーム部材のうち少なくとも１つを含んでいる。前壁部、後壁部、第１の側壁部及び第２の側壁部のうちの１つには、窓部が画定されており、窓部は、窓部が開状態と閉状態のいずれかになるように、対応する壁部に選択的に留めることが可能になっている。前壁部、後壁部、第１の側壁部及び第２の側壁部のうちの１つには、ドア部が画定されており、ドア部は、ドア部が開状態と閉状態のいずれかになるように、対応する壁部に選択的に留めることが可能になっている。前壁部は、第１の平面を画定し、後壁部は、第２の平面を画定し、第１の平面と第２の平面は、相互に対して実質的に平行である。【選択図】  図１
2018513294.tif 000002
【特許請求の範囲】
【請求項１】
ユーザを収容する折り畳み可能なエンクロージャであって、
相互に結合された少なくとも前壁部と、後壁部と、第１の側壁部と、第２の側壁部と、上壁部と、底壁部とを含む複数の壁部によって形成され、室内部を形成する本体部を有し、前記室内部は、前記ユーザによって占有されるようになっており、
複数の変形可能なフレーム部材を有し、前記前壁部、前記後壁部、前記第１の側壁部及び前記第２の側壁部は、前記複数の変形可能なフレーム部材のうち少なくとも１つを含んでおり、
前記前壁部、前記後壁部、前記第１の側壁部及び前記第２の側壁部のうちの１つに画定された窓部を有し、前記窓部は、前記窓部が開状態と閉状態のいずれかになるように、対応する前記壁部に選択的に留めることが可能になっており、
前記前壁部、前記後壁部、前記第１の側壁部及び前記第２の側壁部のうちの１つに画定されたドア部を有し、前記ドア部は、前記ドア部が開状態と閉状態のいずれかになるように、対応する前記壁部に選択的に留めることが可能になっており、
前記前壁部は、第１の平面を画定し、前記後壁部は、第２の平面を画定し、前記第１の平面と前記第２の平面は、相互に対して実質的に平行であり、
前記本体部は、前記室内部を画定する直立構成と折り畳み構成のいずれかになるように折り畳み可能であるエンクロージャ。
【請求項２】
前記ドア部は、前記前壁部に画定された第１のドア部と、前記第１の側壁部に画定された第２のドア部と、前記第２の側壁部に画定された第３のドア部からなる請求項１に記載のエンクロージャ。
【請求項３】
前記第２のドア部及び前記第３のドア部は、それぞれ前記第１の側壁部及び前記第２の側壁部に選択的に留めることが可能であり、
前記第２のドア部及び前記第３のドア部の少なくとも１つは、対応する前記壁部から選択的に係合が解除された場合に、前記後壁部に向かう方向に折り畳み可能である請求項２に記載のエンクロージャ。
【請求項４】
前記窓部は、対応する前記壁部の上半分または下半分に画定されており、
前記ドア部は、対応する前記壁部の上半分及び下半分の両方に画定されている請求項１に記載のエンクロージャ。
【請求項５】
前記第１の側壁部は第３の平面を画定し、前記第２の側壁部は第４の平面を画定し、前記第３の平面と前記第４の平面は、相互に対して実質的に平行であり、
前記第１の平面及び前記第２の平面は、前記第３の平面及び前記第４の平面に対して、実質的に直交している請求項１に記載のエンクロージャ。
【請求項６】
水不透過性材料で形成され、少なくとも１つのコネクタを含む取り外し可能な屋根をさらに備えており、
前記少なくとも１つのコネクタは、前記本体部に対して、取り外し可能に結合されている請求項１に記載のエンクロージャ。
【請求項７】
前記本体部に結合された少なくとも１つのストラップをさらに備えており、
前記少なくとも１つのストラップは、前記屋根の前記少なくとも１つのコネクタを受けるための開口部を画定している請求項６に記載のエンクロージャ。
【請求項８】
前記前壁部、前記後壁部、前記第１の側壁部及び前記第２の側壁部のうちの１つに画定され、選択的に留めることが可能な第２の窓部をさらに備えており、
前記第２の窓部の高さ寸法及び幅寸法は、前記第１の窓部の高さ寸法及び幅寸法よりも小さい請求項１に記載のエンクロージャ。
【請求項９】
前記第２の窓部は、前記第１の窓部が設けられた壁部と同じ壁部に画定されている請求項８に記載のエンクロージャ。
【請求項１０】
前記第２の窓部は、前記ドア部が設けられた壁部と同じ壁部に画定されている請求項８に記載のエンクロージャ。
【請求項１１】
前記ドア部は、第１のドア部と、第２のドア部を含み、
前記第１のドア部は、前記前壁部に画定され、選択的に留められており、
前記第２のドア部は、前記後壁部に画定され、選択的に留められており、
前記第１のドア部は、前記底壁部から第１の距離をあけて配置されており、
前記第２のドア部は、前記底壁部から第２の距離をあけて配置されており、
前記第２の距離は、前記第１の距離よりも小さい請求項１に記載のエンクロージャ。
【請求項１２】
１以上のユーザを収容するエンクロージャ・アセンブリであって、
相互に結合された少なくとも前壁部と、後壁部と、第１の側壁部と、第２の側壁部と、上壁部と、底壁部とを含む複数の壁部によって形成され、室内部を形成する第１のエンクロージャを有し、前記前壁部、前記後壁部、前記第１の側壁部及び前記第２の側壁部は、少なくとも１つのフレーム部材を含んでおり、
相互に結合された少なくとも前壁部と、後壁部と、第１の側壁部と、第２の側壁部と、上壁部と、底壁部とを含む複数の壁部によって形成され、室内部を形成する第２のエンクロージャを有し、前記前壁部、前記後壁部、前記第１の側壁部及び前記第２の側壁部は、少なくとも１つのフレーム部材を含んでおり、
前記第１のエンクロージャと前記第２のエンクロージャを相互に連結し、エンクロージャ・アセンブリを形成するための複数のコネクタを含む屋根構造を有し、前記屋根構造は、前記第１のエンクロージャの前記上壁部及び前記第２のエンクロージャの前記上壁部の上に配置されており、
前記第１のエンクロージャは、前記第１の側壁部または第２の側壁部に画定され、選択的に留められた第１のドア部を含み、
前記第２のエンクロージャは、前記第１の側壁部または第２の側壁部に画定され、選択的に留められた第２のドア部を含み、
前記第１のエンクロージャが前記第２のエンクロージャに隣接し、且つ、前記第１のドア部及び前記第２のドア部が開いた状態で相互に位置合わせされた場合に、前記第１のエンクロージャと前記第２のエンクロージャの間に通路が画定されており、前記通路は、前記ユーザが前記通路によって前記第１のエンクロージャの前記室内部と前記第２のエンクロージャの前記室内部の間を行き来可能なように構成されているエンクロージャ・アセンブリ。
【請求項１３】
前記第１のエンクロージャの前記第１のドア部と対向する壁部に画定された第３のドア部と、
前記第２のエンクロージャの前記第２のドア部と対向する壁部に画定された第４のドア部と、
前記第３のドア部及び前記第４のドア部のそれぞれは、前記通路へのアクセス、及び、前記エンクロージャ・アセンブリの入口開口部または出口開口部を画定する請求項１２に記載のエンクロージャ・アセンブリ。
【請求項１４】
前記第１のエンクロージャの前記前壁部、または、前記第２のエンクロージャの前記前壁部は、それぞれに画定され、選択的に留められたドア部を含む請求項１２に記載のエンクロージャ・アセンブリ。
【請求項１５】
前記第１のエンクロージャ及び前記第２のエンクロージャの前記前壁部、前記後壁部、前記第１の側壁部及び前記第２の側壁部は、それぞれに対して、並行または直交する請求項１２に記載のエンクロージャ・アセンブリ。
【請求項１６】
前記第１のエンクロージャ及び前記第２のエンクロージャの前記前壁部、前記後壁部、前記第１の側壁部及び前記第２の側壁部は、それぞれの前記底壁部からそれぞれの前記上壁部に向かうにしたがって、内側に向かうテーパ状になっている請求項１２に記載のエンクロージャ・アセンブリ。
【請求項１７】
前記第１のエンクロージャ及び前記第２のエンクロージャの前記前壁部、前記後壁部、前記第１の側壁部及び前記第２の側壁部のうちの１つに画定された窓部を有し、前記窓部は、前記窓部が開状態と閉状態のいずれかになるように、対応する前記壁部に選択的に留めることが可能になっており、
前記第１のエンクロージャ及び前記第２のエンクロージャの前記前壁部、前記後壁部、前記第１の側壁部及び前記第２の側壁部のうちの１つに画定され、選択的に留めることが可能な第２の窓部とをさらに備えており、
前記第２の窓部の高さ寸法及び幅寸法は、前記第１の窓部の高さ寸法及び幅寸法よりも小さい請求項１２に記載のエンクロージャ。
【請求項１８】
前記第１のエンクロージャの前記前壁部に画定され、選択的に留めることが可能な第３のドア部と、
前記第１のエンクロージャの前記後壁部に画定され、選択的に留めることが可能な第４のドア部と、
前記第３のドア部は、前記底壁部から第１の距離をあけて配置されており、
前記第４のドア部は、前記底壁部から第２の距離をあけて配置されており、
前記第２の距離は、前記第１の距離よりも小さい請求項１２に記載のエンクロージャ・アセンブリ。
【請求項１９】
相互に結合された少なくとも前壁部と、後壁部と、第１の側壁部と、第２の側壁部と、上壁部と、底壁部とを含む複数の壁部によって形成され、室内部を形成する第３のエンクロージャをさらに備えており、前記前壁部、前記後壁部、前記第１の側壁部及び前記第２の側壁部は、少なくとも１つのフレーム部材を含んでおり、
前記第３のエンクロージャは、前記第１の側壁部または第２の側壁部に画定され、選択的に留められたドア部を含み、
前記第２のエンクロージャは、前記第２のドア部と対向する側壁部に画定された第３のドア部を含み、
前記屋根構造は、前記第３のエンクロージャを、前記第１のエンクロージャと前記第２のエンクロージャに対して取り外し可能に連結し、
前記第１のエンクロージャが前記第２のエンクロージャに隣接し、前記第２のエンクロージャが前記第３のエンクロージャに隣接し、且つ、前記第１のドア部、前記第２のドア部、及び、前記第３のドア部が開いた状態で相互に位置合わせされた場合に、前記第１のエンクロージャ、前記第２のエンクロージャ及び前記第３のエンクロージャの間に前記通路が画定されており、前記通路は、前記ユーザが前記通路によって前記第１のエンクロージャの前記室内部と前記第２のエンクロージャの前記室内部と前記第３のエンクロージャの前記室内部の間を行き来可能なように構成されている請求項１２に記載のエンクロージャ・アセンブリ。
【請求項２０】
ユーザを収容する折り畳み可能なエンクロージャであって、
相互に結合された少なくとも前壁部と、後壁部と、第１の側壁部と、第２の側壁部と、上壁部と、底壁部とを含む複数の壁部によって形成され、室内部を形成する本体部を有し、前記室内部は、前記ユーザによって占有されるようになっており、
複数の変形可能なフレーム部材を有し、前記前壁部、前記後壁部、前記第１の側壁部及び前記第２の側壁部は、前記複数の変形可能なフレーム部材のうち少なくとも１つを含んでおり、
前記前壁部、前記後壁部、前記第１の側壁部及び前記第２の側壁部のうちの１つに画定された窓部を有し、前記窓部は、前記窓部が開状態と閉状態のいずれかになるように、対応する前記壁部に選択的に留めることが可能になっており、
少なくとも前記前壁部に画定されたドア部を有し、前記ドア部は、前記ドア部が開状態と閉状態のいずれかになるように、前記前壁部に選択的に留めることが可能になっており、
前記本体部の前記底壁部近辺に結合されたループ部を有し、前記ループ部は、杭を受けるように構成された開口部を画定しており、
前記本体部に結合され、且つ、別部材の屋根構造からのコネクタを受けるための開口部を画定するストラップとを備えており、
前記本体部は、前記室内部を画定する直立構成と、折り畳み構成のいずれかになるように折り畳み可能であり、
さらに、前記本体部は、
前記ドア部を開けて、前記エンクロージャの前記室内部内に向かって折り畳み；
前記後壁部側に前記エンクロージャを寄せた状態で、前記室内部内に向かって、且つ、前記後壁部の上に前記第１の側壁部を折り畳み；
前記第１の側壁部の前記フレーム部材を、前記第２の側壁部及び前記後壁部の前記フレーム部材と並ぶようにまっすぐに伸ばし；
前記エンクロージャが実質的に平らなエンクロージャになるように、前記第１の側壁部及び前記後壁部の上に前記第２の側壁部を折り畳み；
前記実質的に平らなエンクロージャの上半分を下半分に向かって半分に折り；
前記上半分の第１の側をひねって前記下半分に向かって折り；
前記上半分の第２の側をひねって前記下半分に向かって折ることで、前記直立構成から折り畳み構成に折り畳み可能であるエンクロージャ。
【発明の詳細な説明】
【技術分野】
【０００１】
［関連出願に対する相互参照］
本出願は、２０１５年３月１７日に出願された米国仮出願第62/134,029号明細書、及び、２０１６年２月１９日に出願された米国仮出願第62/297,315号明細書の優先権を主張しており、本明細書にその全体が参照により組み込まれる。
［技術分野］
開示技術は、個人用エンクロージャ（personal enclosure）を作成する装置及び方法に関し、より詳細には、他の個人用エンクロージャと連結可能な個人用エンクロージャに関する。
【背景技術】
【０００２】
プレイヤ及び観衆は、屋外の運動イベント及び娯楽イベントを非常に頻繁にライブで観ている。多くの屋外会場（outdoor venues）では、参加者は、エレメント（elements）から守るシェルタ（shelter）のような形態のものを有していない。これらの屋外会場では、観客やプレイヤは、参加しているイベント中に天候不良（precipitation）が発生した場合、雨、みぞれ（sleet）、雪、または風に耐えることしかできない。
【発明の概要】
【発明が解決しようとする課題】
【０００３】
屋外イベント中の望ましくない気象条件に対処するために使用される方法の１つは、空からの降雨や降雪（precipitation）に対する限定的なシェルタを提供する傘を使用することである。しかしながら、傘は最小限のシェルタしか提供せず、ユーザの身体の大半をエレメントにさらしたままにしてしまう。代わりに、典型的なキャンプ用テントは、エレメントに対するより良いシェルタを提供することができるが、ユーザは、ライブ・イベントを適切に観たり、周囲のイベント参加者と対話することができなくなる。これら従来のキャンプ用テントは、組み立て及び分解も困難である。
【０００４】
屋外イベントの個人参加（personal attendance）は、悪天候にかかわらず望まれていることが判明している。悪天候から身を守るため、傘とキャンプ用テントを使用することはできるが、傘は最小限しかカバーすることができず、また、テントは、ライブ・イベントを簡単に観ることができない。したがって、イベントを観る妨げにならず（unobstructed）、エレメントに対する完全防護を提供し、また、仲間のイベント参加者と対話する機会を与えることを可能にするエンクロージャが必要である。
【課題を解決するための手段】
【０００５】
本開示の第１の実施の形態では、ユーザを収容する折り畳み可能なエンクロージャであって、相互に結合された少なくとも前壁部（front wall）と、後壁部（back wall）と、第１の側壁部（first side wall）と、第２の側壁部（second side wall）と、上壁部（top wall）と、底壁部（bottom wall）とを含む複数の壁部によって形成され、室内部（interior）を形成する本体部を有し、室内部は、ユーザによって占有されるようになっており、複数の変形可能なフレーム部材（frame member）を有し、前壁部、後壁部、第１の側壁部及び第２の側壁部は、複数の変形可能なフレーム部材のうち少なくとも１つを含んでおり、前壁部、後壁部、第１の側壁部及び第２の側壁部のうちの１つに画定（defined）された窓部を有し、窓部は、窓部が開状態（open position）と閉状態（closed position）のいずれかになるように（disposable between）、対応する壁部に選択的に留めることが可能になっており（engageable）、前壁部、後壁部、第１の側壁部及び第２の側壁部のうちの１つに画定されたドア部を有し、ドア部は、ドア部が開状態と閉状態のいずれかになるように、対応する壁部に選択的に留めることが可能になっており、前壁部は、第１の平面を画定し、後壁部は、第２の平面を画定し、第１の平面と第２の平面は、相互に対して実質的に平行であり、本体部は、室内部を画定する直立構成（upright configuration）と折り畳み構成（collapsible configuration）のいずれかになるように折り畳み可能であるエンクロージャを提供する。
【０００６】
本実施の形態の第１の例では、ドア部は、前壁部に画定された第１のドア部と、第１の側壁部に画定された第２のドア部と、第２の側壁部に画定された第３のドア部からなる。第２の例では、第２のドア部及び第３のドア部は、それぞれ第１の側壁部及び第２の側壁部に選択的に留めることが可能である。第３の例では、第２のドア部及び第３のドア部の少なくとも１つは、対応する壁部から選択的に係合が解除された場合に、後壁部に向かう方向に折り畳み可能である。第４の例では、窓部は、対応する壁部の上半分または下半分に画定されており、ドア部は、対応する壁部の上半分及び下半分の両方に画定されている。第５の例では、第１の側壁部は第３の平面を画定し、第２の側壁部は第４の平面を画定し、第３の平面と第４の平面は、相互に対して実質的に平行であり、第１の平面及び第２の平面は、第３の平面及び第４の平面に対して、実質的に直交している。
【０００７】
第６の例では、取り外し可能な屋根は、水不透過性材料で形成され、少なくとも１つのコネクタを含んでおり、少なくとも１つのコネクタは、本体部に対して、取り外し可能に結合されている。第７の例では、少なくとも１つのストラップが本体部に結合されており、少なくとも１つのストラップは、屋根の少なくとも１つのコネクタを受けるための開口部を画定している。第８の例では、前壁部、後壁部、第１の側壁部及び第２の側壁部のうちの１つに画定され、選択的に留めることが可能な第２の窓部をさらに備えており、第２の窓部の高さ寸法及び幅寸法は、第１の窓部の高さ寸法及び幅寸法よりも小さい。第９の例では、第２の窓部は、第１の窓部が設けられた壁部と同じ壁部に画定されている。他の例では、第２の窓部は、ドア部が設けられた壁部と同じ壁部に画定されている。さらに他の例では、ドア部は、第１のドア部と、第２のドア部を含み、第１のドア部は、前壁部に画定され、選択的に留められており、第２のドア部は、後壁部に画定され、選択的に留められており、第１のドア部は、底壁部から第１の距離をあけて配置されており、第２のドア部は、底壁部から第２の距離をあけて配置されており、第２の距離は、第１の距離よりも小さい。
【０００８】
１以上のユーザを収容するエンクロージャ・アセンブリであって、相互に結合された少なくとも前壁部と、後壁部と、第１の側壁部と、第２の側壁部と、上壁部と、底壁部とを含む複数の壁部によって形成され、室内部を形成する第１のエンクロージャを有し、前壁部、後壁部、第１の側壁部及び第２の側壁部は、少なくとも１つのフレーム部材を含んでおり、相互に結合された少なくとも前壁部と、後壁部と、第１の側壁部と、第２の側壁部と、上壁部と、底壁部とを含む複数の壁部によって形成され、室内部を形成する第２のエンクロージャを有し、前壁部、後壁部、第１の側壁部及び第２の側壁部は、少なくとも１つのフレーム部材を含んでおり、第１のエンクロージャと第２のエンクロージャを相互に連結し、エンクロージャ・アセンブリを形成するための複数のコネクタを含む屋根構造を有し、屋根構造は、第１のエンクロージャの上壁部及び第２のエンクロージャの上壁部の上に配置されており、第１のエンクロージャは、第１の側壁部または第２の側壁部に画定され、選択的に留められた第１のドア部を含み、第２のエンクロージャは、第１の側壁部または第２の側壁部に画定され、選択的に留められた第２のドア部を含み、第１のエンクロージャが第２のエンクロージャに隣接し、且つ、第１のドア部及び第２のドア部が開いた状態で相互に位置合わせされた場合に、第１のエンクロージャと第２のエンクロージャの間に通路（passageway）が画定されており、通路は、ユーザが通路によって第１のエンクロージャの室内部と第２のエンクロージャの室内部の間を行き来可能なように構成されているエンクロージャ・アセンブリを提供する。
【０００９】
第１の例では、第３のドア部が、第１のエンクロージャの第１のドア部と対向する壁部に画定されており、第４のドア部が、第２のエンクロージャの第２のドア部と対向する壁部に画定されており、第３のドア部及び第４のドア部のそれぞれは、通路へのアクセス、及び、エンクロージャ・アセンブリの入口開口部または出口開口部を画定する請求項１２に記載のエンクロージャ・アセンブリ。第２の例では、第１のエンクロージャの前壁部、または、第２のエンクロージャの前壁部は、それぞれに画定され、選択的に留められたドア部を含む。第３の例では、第１のエンクロージャ及び第２のエンクロージャの前壁部、後壁部、第１の側壁部及び第２の側壁部は、それぞれに対して、並行または直交する。第４の例では、第１のエンクロージャ及び第２のエンクロージャの前壁部、後壁部、第１の側壁部及び第２の側壁部は、それぞれの底壁部からそれぞれの上壁部に向かうにしたがって、内側に向かうテーパ状になっている（taper inwardly）。第５の例では、窓部は、第１のエンクロージャ及び第２のエンクロージャの前壁部、後壁部、第１の側壁部及び第２の側壁部のうちの１つに画定されており、窓部は、窓部が開状態と閉状態のいずれかになるように、対応する壁部に選択的に留めることが可能になっており、第１のエンクロージャ及び第２のエンクロージャの前壁部、後壁部、第１の側壁部及び第２の側壁部のうちの１つに画定され、選択的に留めることが可能な第２の窓部とをさらに備えており、第２の窓部の高さ寸法及び幅寸法は、第１の窓部の高さ寸法及び幅寸法よりも小さい。
【００１０】
他の例では、第３のドア部は、第１のエンクロージャの前壁部に画定され、選択的に留めることが可能であり、第４のドア部は、第１のエンクロージャの後壁部に画定され、選択的に留めることが可能であり、第３のドア部は、底壁部から第１の距離をあけて配置されており、第４のドア部は、底壁部から第２の距離をあけて配置されており、第２の距離は、第１の距離よりも小さい。さらに他の例では、相互に結合された少なくとも前壁部と、後壁部と、第１の側壁部と、第２の側壁部と、上壁部と、底壁部とを含む複数の壁部によって形成され、室内部を形成する第３のエンクロージャをさらに備えており、前壁部、後壁部、第１の側壁部及び第２の側壁部は、少なくとも１つのフレーム部材を含んでおり、第３のエンクロージャは、第１の側壁部または第２の側壁部に画定され、選択的に留められたドア部を含み、第２のエンクロージャは、第２のドア部と対向する側壁部に画定された第３のドア部を含み、屋根構造は、第３のエンクロージャを、第１のエンクロージャと第２のエンクロージャに対して取り外し可能に連結し、第１のエンクロージャが第２のエンクロージャに隣接し、第２のエンクロージャが第３のエンクロージャに隣接し、且つ、第１のドア部、第２のドア部、及び、第３のドア部が開いた状態で相互に位置合わせされた場合に、第１のエンクロージャ、第２のエンクロージャ及び第３のエンクロージャの間に通路が画定されており、通路は、ユーザが通路によって第１のエンクロージャの室内部と第２のエンクロージャの室内部と第３のエンクロージャの室内部の間を行き来可能なように構成されている。
【００１１】
さらなる実施の形態では、ユーザを収容する折り畳み可能なエンクロージャであって、相互に結合された少なくとも前壁部と、後壁部と、第１の側壁部と、第２の側壁部と、上壁部と、底壁部とを含む複数の壁部によって形成され、室内部を形成する本体部を有し、室内部は、ユーザによって占有されるようになっており、複数の変形可能なフレーム部材を有し、前壁部、後壁部、第１の側壁部及び第２の側壁部は、複数の変形可能なフレーム部材のうち少なくとも１つを含んでおり、前壁部、後壁部、第１の側壁部及び第２の側壁部のうちの１つに画定された窓部を有し、窓部は、窓部が開状態と閉状態のいずれかになるように、対応する壁部に選択的に留めることが可能になっており、少なくとも前壁部に画定されたドア部を有し、ドア部は、ドア部が開状態と閉状態のいずれかになるように、前壁部に選択的に留めることが可能になっており、本体部の底壁部近辺に結合されたループ部を有し、ループ部は、杭（stake）を受けるように構成された開口部を画定しており、本体部に結合され、且つ、別部材の屋根構造からのコネクタを受けるための開口部を画定するストラップとを備えており、本体部は、室内部を画定する直立構成と、折り畳み構成のいずれかになるように折り畳み可能であり、さらに、本体部は、ドア部を開けて、エンクロージャの室内部内に向かって折り畳み、後壁部側にエンクロージャを寄せた状態で、室内部内に向かって、且つ、後壁部の上に第１の側壁部を折り畳み、第１の側壁部のフレーム部材を、第２の側壁部及び後壁部のフレーム部材と並ぶようにまっすぐに伸ばし、エンクロージャが実質的に平らなエンクロージャになるように、第１の側壁部及び後壁部の上に第２の側壁部を折り畳み、実質的に平らなエンクロージャの上半分を下半分に向かって半分に折り、上半分の第１の側をひねって下半分に向かって折り、上半分の第２の側をひねって下半分に向かって折ることで、直立構成から折り畳み構成に折り畳み可能であるエンクロージャを提供する。
【００１２】
本開示の上記の態様およびそれらを得る方法は、添付の図面と関連させることによって、より明らかになり、また、本開示自体も本開示の実施の形態の以下の説明を参照することによって、より理解されるであろう。
【図面の簡単な説明】
【００１３】
【図１】本開示のマルチ・エンクロージャ連結アセンブリの立面斜視図である。
【図２】マルチ・エンクロージャ連結アセンブリの別の実施の形態の正面斜視図である。
【図３】図２のアセンブリの正面図である。
【図４】個人用エンクロージャの一実施の形態の斜視図である。
【図５】図４の個人用エンクロージャの正面図である。
【図６】図４の個人用エンクロージャの背面図である。
【図７】図４の個人用エンクロージャの第１の側の側面図である。
【図８】図４の個人用エンクロージャの第２の側の側面図である。
【図９】第２の個人用エンクロージャの斜視図である。
【図１０】第３の個人用エンクロージャの斜視図である。
【図１１】図１０の個人用エンクロージャの側面図である。
【図１２】第４の個人用エンクロージャの斜視図である。
【図１３】図１２の個人用エンクロージャの正面図である。
【図１４】図１２の個人用エンクロージャの背面図である。
【図１５】第５の個人用エンクロージャの斜視図である。
【図１６】第６の個人用エンクロージャの斜視図である。
【図１７】第７の個人用エンクロージャの斜視図である。
【図１８】図２のマルチ・エンクロージャ連結アセンブリの概略平面図である。
【図１９】個人用エンクロージャを直立状態から折り畳み状態に折り畳む方法を示すフロー図である。
【発明を実施するための形態】
【００１４】
対応する参照符号は、いくつかの図を通して、対応する部分を示すために使用される。
【００１５】
以下に記載される本開示の実施の形態は、網羅的であることを意図するものでも、以下の詳細な説明に開示される厳密な形態に本開示を限定するものでもない。むしろ、当業者が本開示の原理及び実施を理解する（appreciate and understand）ことができるように、実施の形態を選択し、説明してある。
【００１６】
図１には、マルチ・エンクロージャ・アセンブリ（multi-enclosure assembly）１００の一実施の形態を示してある。マルチ・エンクロージャ・アセンブリ１００は、第１のポッド（pod）１０２と第２のポッド１０４を含んでいてもよい。なお、２つのポッドに限定されない。第１のポッド１０２と第２のポッド１０４は、少なくとも１つのフレーム要素１０６の周りまたはその間に配置された、合成材料（synthetic material）、布材料、または、布風の素材であってもよく、第１の内部空間（inner cavity）及び第２の内部空間を画定している。第１のポッド１０２と第２のポッド１０４は、それぞれ、少なくとも１つのドア１０８と、少なくとも１つの窓１１０を画定してもよい。ドア１０８及び窓１１０の双方は、図１に示す閉状態と開状態のいずれかにしてもよい。ドア１０８及び窓１１０は、複数のファスナ（fasteners）によって完全な閉状態に保持されてもよい。１つの非排他的な実施の形態では、ジッパー（zipper）を使用して、第１のポッド１０２と第２のポッド１０４からドア１０８または窓１１０の一部を外す（uncouple）ようにしてもよい。代わりに、磁石、ボタン、ベルクロ（Velcro）または当技術分野で知られている連結機能を発揮する他の一般的な連結手段（coupling means）を使用してもよい。
【００１７】
フレーム要素１０６の間に配置されたマテリアル（material）は、任意のドア１０８または窓１１０が閉状態にあるときに、第１の内部空間及び第２の内部空間を実質的に密閉できる不透過性マテリアル（impermeable material）であってもよい。さらに、マテリアルは、任意の数の色であってもよく、または、実質的に透明であってもよい。当業者であれば、内部空間に位置する任意のものによって周囲の領域を観察できるという、透明なマテリアルを利用する利点を理解するであろう。代わりに、任意の色つきのマテリアルまたは透明のマテリアルの組み合わせを使用することもできる。一実施の形態では、ポッドの相当な部分がカモフラージュ・マテリアル（camouflage material）で形成されており、マテリアルの小さな部分のみが透明であってもよい。図１及び本明細書に開示したその他の実施の形態では、図示した破線は、エンクロージャを作成するために使用される、または、様々な側部を互いに縫い合わせるために使用される、マテリアルの縫い目（stitch line）等を示してもよい。
【００１８】
ドア１０８は、ポッド１０２，１０４の側部の大部分から構成されていてもよい。ドア１０８は、開状態において、実質的に側部から外されていてもよい。開状態では、ドアは、ドア開口部の一側面に沿って配置されるように、巻かれたり、折り畳まれるなどしてもよい。ドア開口部から取り外されると、ドアは、ベルクロ（登録商標）、スナップ、クリップ、ラッチ、１つ以上のタイ、ボタン、磁性部材等の取り外し可能なカプラ（coupler）によって、その開状態に保持されてもよい。開状態において、ドア１０８は、ドア開口部から実質的に離して保持されてもよい。他の実施の形態では、ドア１０８は、ポッドから完全に切り離され、取り外されてもよい。
【００１９】
各窓１１０は、同様に、ポッド１０２，１０４のいずれかの側面の一部に沿って同様に配置されていてもよい。開状態では、窓１１０は、その一部が実質的に遮られていない、開いた、コンパクトな状態を有することもできる。窓１１０は、ベルクロ（登録商標）、スナップ、クリップ、ラッチ、１つ以上のタイ、１つ以上のボタン、磁性部材等の取り外し可能なカプラによって、開いた、コンパクトな状態に保持されてもよい。代わりに、窓１１０は、開状態において、ポッド１０２，１０４から完全に切り離され、取り外されてもよい。
【００２０】
一実施の形態では、第１のポッド１０２及び第２のポッド１０４はそれぞれ、互いに対して実質的に反対側に配置された、少なくとも２つのドア１０８を有することができる。各ポッド１０２，１０４の反対側に沿って２つのドア１０８を配置することで、ユーザがポッド１０２，１０４の一方側に入り、反対側から出ることができる。当業者であれば、ドアは、ユーザのニーズに応じて、ポッド１０２，１０４のいずれかの特定の側に配置されてもよいことを理解するであろう。１つの非排他的な例では、取り外し可能なドアを、ポッド１０２，１０４いずれかの各側に配置することができる。したがって、この開示はいずれかの特定のドア構成に限定されない。
【００２１】
一実施の形態では、第１のポッド１０２及び第２のポッド１０４は、並んで（side-by-side）配置されてもよい。この配置において、第１のポッド１０２のドア１０８の１つは、第２のポッド１０４のドア１０８のうちの１つと位置合わせされていてもよい。第１のポッド１０２及び第２のポッド１０４のドア１０８を取り囲む領域は、両方のドア開口部が互いに並ぶように、両方のポッドを互いに連結させる連結手段を有していてもよい。一実施の形態では、連結手段は、各ドア１０８の開口部に沿って配置された磁石であってもよい。磁石が互いに接触すると、第１のポッド１０２を第２のポッド１０４に連結することができる。この構成において、ユーザが両方のポッドの間を移動できるように、第１のポッド１０２の内部空間は、第２のポッド１０４の内側空間に連結されていてもよい。
【００２２】
第１のポッド１０２と第２のポッド１０４との間のドア開口部は、任意の数の複数の連結機構を使用して連結されてもよい。例えば、磁石の代わりに、第１のポッド１０２のドア開口部は、少なくとも１つのボタン、ジッパー、ベルクロ、タイまたは他の類似の連結手段を介して、第２のポッド１０４の開口部に連結されてもよい。したがって、本開示は、いずれか１つの構成に限定されない。
【００２３】
さらに本開示の他の態様は、取り外し可能な屋根１１２である。屋根１１２は、第１のポッド及び第２のポッドの上に配置可能であり、第１のポッド１０２及び第２のポッド１０４が互いに対して隣接するように配置された場合に、第１のポッド１０２及び第２のポッド１０４の上部を互いに結合するように適合されている。一実施の形態では、屋根１１２は、第１のポッド１０２及び第２のポッド１０４の両方のフレーム１０６に結合されていてもよい。屋根１１２は、例えば、ボタン、ジッパー、ベルクロ、タイ、フックなどの複数の結合手段を用いてフレームに結合されてもよい。一実施の形態では、屋根１１２は、（各ポッドの上側のほかに）第１のポッド１０２及び第２のポッド１０４の上部に沿って追加の遮水壁（water barrier）を提供してもよい。さらに、屋根１１２は、第１のポッド１０２及び第２のポッド１０４が連結されている領域に沿って遮水壁を提供してもよい。さらに、屋根１１２は、２つのエンクロージャ・アセンブリ１００内の第１のポッド１０２及び第２のポッド１０４を維持するための補強材として作用することができる。
【００２４】
第１のポッド１０２及び第２のポッド１０４のそれぞれは、また、ポッド１０２，１０４を、その下にある地面に固定するための少なくとも１つのアンカー手段（anchoring means）またはラッチ手段（latching means）１１４を含むこともできる。アンカー手段１１４は、下にある表面に沿って配置することができるフレーム１０６からのマテリアルの延長部とすることができる。さらに、一実施の形態では、アンカー手段１１４は、端部がループ状になっていてもよい（terminate at a loop）。したがって、ループは、ポッドを固定し、動かないようにするために、アンカー手段１１４を通して、また、その下の地面に向かって、杭やその他の固定手段を打ち付ける位置を示すものとして提供することができる。一実施の形態では、各ポッド１０２，１０４の底面の角それぞれに、アンカー手段１１４があってもよい。
【００２５】
フレーム１０６は、内部空間を画定する位置に材料を維持するのに十分なほど強く、ユーザが、複数の構成にフレームを操作することを可能にするのに十分な弾性特性を有する材料で構成することができる。さらに、フレーム１０６及び材料は、ユーザが各ポッド１０２，１０４を操作して、実質的に平らなまたは折り畳んだ構成（図示せず）にできるように構成されていてもよい。折り畳まれた構成では、ユーザは、各ポッド１０２，１０４を容易に運搬または保管することができる。
【００２６】
一実施の形態では、ユーザは、第１のポッド１０２を折り畳まれた構成で有することができる。ユーザは、フレーム１０６及び第１のポッド１０２の材料を操作し、内部空間を画定する直立状態（upright position）にアセンブルすることができる。それから、ユーザは、ドア１０８のうちの１つを、全開状態（fully open position）にすることができる。次に、ユーザは、平らなまたは折り畳んだ構成の第２のポッド１０４を有することができる。ユーザは、内部空間を画定する直立状態になるように、フレーム１０６及び第２のポッド１０４の材料を操作しすることができる。次に、ユーザは、第２のポッド１０４のドア１０８のうちの１つを、全開状態にすることができる。それから、ユーザは、第１のポッド１０２のドア開口部を第２のポッド１０４のドア開口部の隣にくるように配置することができる。それから、ユーザは、上述の複数の結合手段を用いて、第１のポッド１０２のドア開口部を第２のポッド１０４のドア開口部を結合することができる。最後に、ユーザは、上述の複数の結合手段を用いて、第１のポッド１０２及び第２のポッド１０４のそれぞれのフレーム部材１０６に屋根１１２を結合してもよい。
【００２７】
ユーザは、第１のポッド１０２及び第２のポッド１０４を互いに連結した場合に、第１のポッド１０２及び第２のポッド１０４を操作して、多くの異なる構成にすることができる。例えば、第１のポッド１０２の外側に沿って配置されたドア１０６は、連結された第１のポッド１０２及び第２のポッド１０４の内部空間に入ることを可能にする。代わりに、第２のポッド１０４の外側に沿って配置されたドア１０６は、開状態であってもよい。この構成では、第１のポッド１０２及び第２ポッド１０４は、ユーザが一方のポッドの一方の端部から入り、他方のポッドの端部から出ることができる通路を画定することができる。各外部ドア１０６は、ユーザが内部空間内にいるとき、閉状態にされていてもよい。この配置では、ユーザは、周囲のエレメントから実質的に保護され得る。例えば、ユーザは、ポッドの内部空間に椅子を置くことができるので、ポッドの外側の天気や昆虫から保護されながら、スポーツイベントやコンサートを座りながら観ることができる。さらに別の配置では、外部ドアは閉状態にあり、窓１１０のうちの１つ以上は開状態にあってもよい。
【００２８】
図２に示すように、上述のポッドは、実質的に平行な平面の側部を含むことができる。この構成では、ポッド同士が結合されると、一方のポッドの側面が他のポッドの表面と実質的に整列する。同様に、各ポッドのフレーム部材は、実質的に互いに整列してもよく、上述のようにポッドは互いに容易に連結することができる。この構成においては、屋根も、側部を互いに整列させて保持することができる。
【００２９】
代わりに、異なる実施の形態では、側部は、それぞれのポッドの底部から頂部に向かうにしたがってテーパ状に先細るようになっていてもよい（tapered）。この実施の形態では、それぞれのポッドのベース部または底部は、頂部よりも大きい。この一例は、本願の図１０乃至図１４に示してあり、後述する。
【００３０】
第１のポッド１０２及び第２のポッド１０４については、図１を参照して詳細に説明したが、任意の数のポッドを使用することができる。１つの非排他的な例では、２つ以上のポッドが互いに連結され、この２つ以上のポッドを互いに連結するように構成された、対応する屋根を有することができる。さらに別の例では、本開示に基づいて、４つ以上のポッドを一緒に連結することができる。ポッドを互いに連結するために、図１に示した屋根よりも大きな屋根を使用することができる。しかしながら、本開示は、実装され得るポッドの数に数的な制限はないので、特定の数に限定されることを意図するものではない。
【００３１】
図２には、本開示の第２の実施の形態を示してある。図２には、第１のエンクロージャまたはポッド２０２及び第２のエンクロージャまたはポッド２０４から形成された別のマルチ・エンクロージャ・アセンブリ２００を示してある。この実施の形態では、マルチ・エンクロージャ・アセンブリ２０２は、前方部（front side）２０６及び後方部（back side）２０８を含んでいる。前方部と後方部は、類似していてもよい。この実施の形態では、第１のエンクロージャ２０２は、ユーザが占有するための内部空間を画定する複数の面（sides）を含む。複数の面は、前方部２１０、後方部、第１の側部２１２、第２の側部、上部、及び、底部を含んでいてもよい。この実施の形態では、第１のエンクロージャ２０２は、少なくとも６つの異なる面を含んでいる。第２のエンクロージャについても同様である。しかしながら、他の実施の形態では、各エンクロージャは、計６つより少ない面を有することができる。例えば、上部と底部とを有する円筒形状のエンクロージャであってもよい。代わりに、上部及び底部を有する三角形状のエンクロージャは、５つの面を含むことができる。上部及び底部を有する五角形状のエンクロージャは、７つの面を含むことができる。他の例では、エンクロージャは、底部を全く有さず、したがって、底部が開いていてもよい。本開示においては、他のタイプの構成も考えられる。さらに、第２のエンクロージャ２０４は、前方部２３０、後方部、一対の側部２３２、上部及び底部を含むこともできる。
【００３２】
図２に示すように、第１のエンクロージャ及び第２のエンクロージャそれぞれの前方部２１０は、少なくともその一部に画定された窓２１４を含んでいる。この図示した実施の形態では、窓２１４は、前方部２１０の上方部分に形成されており、前方部２１０を横断するように画定された縫い目（seam）２１８が、窓２１４を前方部２１０の下方部分から分離している。しかしながら、これはエンクロージャに形成されてもよい窓２１４のタイプの１つの例に過ぎない。窓２１４の大きさは異なってもよい。例えば、エンクロージャの大きさが、エンクロージャを占有している間、ユーザが椅子に座れる大きさである場合、窓は図２に示したよりも低く配置されていてもよい。代わりに、エンクロージャの大きさが、エンクロージャを占有している間、ユーザが立っていられる大きさである場合、窓は図２に示したよりも高くまたは図２の示した程度に配置されていてもよい。したがって、窓２１４の大きさ及び位置は、異なる実施の形態で変化してもよい。
【００３３】
第１のエンクロージャ２０２の第１の側部２１２には、ドア２１６が形成されて示されている。ドア２１６の大きさは任意である。図２に示すように、ドア２１６は、第１の側部２１２の大部分を占めることができ、それにより、ユーザが出入りするための開口部を画定できる。各エンクロージャの前方部、後方部、第１の側部、第２の側部のいずれかは、図示したように、窓２１４またはドア２１６のいずれかを含むことができる。窓２１４またはドア２１６は、ジッパー２２４によって開閉可能であってもよい。各ジッパー２２４は、窓またはドアを開閉するためのジッパー・プル（zipper pull）２２６を含んでもよい。いくつかの例では、窓またはドアを開閉するために、２つ以上のジッパー・プルを設けてもよい。
【００３４】
図２には、フレーム部材２３８を有する各側部を示してある。フレーム部材２３８は、エンクロージャがその直立状態から折り畳むことを可能にする、任意の可撓性のある（flexible）または柔軟な（pliable）材料で形成されていてもよい。折り畳まれた状態では、エンクロージャは容易に運搬可能であり、直立状態よりも容易に保管することができる。エンクロージャを折って、または、折り畳んで、折り畳まれた状態にする方法については、後述する。いずれにしても、フレーム２３８は、ポップアップスタイルのテントと同様に、エンクロージャをその直立状態に付勢することができる。そのようなものとして、フレームは、軽鋼（light steel）または金属材料で形成されていてもよい。代わりに、フレームは、プラスチック材料で形成されていてもよい。
【００３５】
図示した例では、図２に示した各側部は、四角形状に形成されている。このようにして、各エンクロージャの前方部及び後方部は、互いに対して、実質的に平行であってもよい。フレーム２３８は、楕円形（oval）または卵形（egg-shaped）のデザインを有することができる。いくつかの例では、各エンクロージャの様々な側部または壁部は、楕円形または卵形のような形状であってもよい。
【００３６】
各エンクロージャは、水が内部に侵入したり漏れたりしないように、不透過性の材料（impermeable material）で形成されていてもよい。したがって、ユーザは、雨、雪、風、昆虫、またはエンクロージャ外の他の状態にさらされることなく、直立状態のエンクロージャを占有することができる。各側部はまた、ユーザがエンクロージャを占有している間に日焼けしてしまうことを避けられるように、太陽光を反射する材料で形成されてもよい。
【００３７】
さらに、２以上のエンクロージャを相互に接続または連結する場合、取り外し可能な別個の屋根構造２２８を使用してもよい。屋根構造２２８は、各エンクロージャの上方に配置することができ、したがって、屋根構造は、雨、雪、風、昆虫などに対するさらなる保護を提供する。屋根構造２２８は、任意のタイプの形状またはデザイン（装飾を含む）を有することができ、図２に示すような１以上のコネクタ２４２を含んでもよい。各コネクタ２４２は、エンクロージャに接続されたループまたはストラップ２４０に係合または結合されてもよい。ループまたはストラップ２４０は、コネクタ２４２を受け入れるための開口部を有する布片（piece of cloth）であってもよい。コネクタ２４２は、ループまたはストラップ２４０と係合するフックまたはラッチを含んでもよい。一旦接続されると、屋根構造２２８は、図２に示すように、複数のエンクロージャを互いに連結することができる。
【００３８】
屋根構造２２８はまた、接続されたエンクロージャの上方の（overhead）連続構造も提供する。第１のエンクロージャ２０２と第２のエンクロージャ２０４が互いに対して近接した位置に配置され、各エンクロージャの各側部のドアが開状態で互いに整列している場合、ユーザは、エンクロージャの外に出ることなく、各エンクロージャを通って、エンクロージャ間を通ることができる。屋根構造２２８は、ユーザがエンクロージャのいずれかまたは両方を占有することができるように、悪天候または昆虫に対する保護を提供する。したがって、２つのエンクロージャは、その間に通路（walkway）または通り道（path）を画定する。図１８には、この一例をさらに示してある。
【００３９】
図１８には、図２に示したものと似たマルチ・エンクロージャ・アセンブリ１８００を示してある。アセンブリ１８００は、第１のエンクロージャ１８０２、第２のエンクロージャ１８０４、第３のエンクロージャ１８０６、及び、第４のエンクロージャ１８０８を含むことができる。各エンクロージャは、他のエンクロージャと整列して長方形のアライメント（alignment）を形成している。エンクロージャの形状が異なる場合、アライメントは上記とは異なるように見える場合がある。いずれにしても、アセンブリ１８００は、第１の開口部を画定する第１の端部１８１２と、第２の開口部を画定する反対側の端部１８１４とを含む。この実施の形態では、ドアは２つの端部のそれぞれに配置され、ユーザは、第１のエンクロージャ及び第４のエンクロージャに入ることができる。さらに、第１のエンクロージャ１８０２のドアは、第２のエンクロージャ１８０４のドアと位置合わせされていてもよい。同様に、第２のエンクロージャ１８０４のドアは、第３のエンクロージャ１８０６のドアと位置合わせされていてもよく、第３のエンクロージャ１８０６のドアは、第４のエンクロージャ１８０８のドアと位置合わせされていてもよい。したがって、この実施の形態では、エンクロージャのそれぞれは、少なくとも向かい合った側部に２つのドアを含む。
【００４０】
各ドアがその開状態にあるとき、アセンブリには、各エンクロージャの間に、通路または通り道（passsageway）が確定される。したがって、ユーザは、第１の端部１８１２または第２の端部１８１４のいずれかに入り、矢印１８１６で示すように、通路１８１０をいずれかの方向に移動することができる。３つ以上のドアまたは開口部を有するエンクロージャにおいて、エンクロージャは、複数の方向（例えば、縦方向及び横方向）に配置することができる。一例では、複数のエンクロージャを互いに連結して、円形の密閉構造（enclosed structure）を形成することができる。第２の例では、複数のエンクロージャを互いに連結して、十字状の密閉構造を形成することができる。さらなる例では、アセンブリは、互いに連結された２つ以上のエンクロージャの行（rows）及び列（columns）を含み、各行及び列に沿って画定された通路を有する１つのエンクロージャを形成してもよい。少なくとも１つの実施の形態では、各エンクロージャの前方部、後方部または側部に、隣接するエンクロージャに接続するためのスナップ、ラッチ、フック、ベルクロ（登録商標）などのコネクタを含めることができる。
【００４１】
外部環境に曝されることなく、隣接するエンクロージャの間を移動できるように、複数のエンクロージャを相互に連結するのに、図２と似た屋根構造２２８を使用することもできる。このように、屋根構造２２８は、２つ以上のエンクロージャの間で伸張して連結することができる連続構造（continuous structure）を形成する。
【００４２】
図２に戻って、各エンクロージャは、その底部近くにアンカー手段またはループ２３６を含むこともできる。エンクロージャをその場所に固定し、維持するために、杭または他のアンカーは、アンカー手段またはループ２３６の開口部に通して、そして、地面に対して打ってもよい。したがって、杭またはアンカーは、風、雨、または雪にかかわらず、エンクロージャを所定位置に保持することができる。
【００４３】
図３には、図２のマルチ・エンクロージャ・アセンブリ２００がその前方部２０６から示されている。上述のように、第２のエンクロージャ２０２は、ユーザが占有することができる第１の室内部または内部空間３００を画定することができる。同様に、第２のエンクロージャ２０４は、第２の室内部または内部空間３０２を画定することができる。２つのエンクロージャの各側部にあるドアにより、ユーザは、第１の開口部３０４を介して第１のエンクロージャ内に入る、または、第２の開口部３０６を介して第２のエンクロージャ内に入ることができる。互いに向かい合っている２つのエンクロージャの側部のドアが開いている場合、ユーザは、各エンクロージャの間を通ることができる。
【００４４】
図４には、エンクロージャ４００の異なる実施の形態を示してある。ここには、単一のエンクロージャのみを示してあるが、このエンクロージャ４００は、他のエンクロージャと共に配置されて、上述のようなマルチ・エンクロージャ・アセンブリを形成してもよいことが理解される。したがって、本開示の教示は、この実施の形態及び本明細書に記載されている他の実施の形態に当てはまる。
【００４５】
エンクロージャ４００は、前壁部４０２、後壁部４０４、第１の側壁部４０６、及び、第２の側壁部４０８を含む複数の側部を含むことができる。各壁部は、エンクロージャの室内に水が漏れたり入ったりすることを防ぐために、水不透過性材料から形成されていてもよい。各壁部はまた、エンクロージャに安定性を与え、エンクロージャをその直立状態に維持するフレーム構造４１４を含んでもよい。しかしながら、各フレーム構造４１４は、エンクロージャを折り曲げ、または、折り畳み、折り畳まれた状態または収納状態になるように、可撓性、曲げ可能、柔軟性を有するもの等であってもよい。これにより、エンクロージャの運搬や保管が容易になる。
【００４６】
エンクロージャ４００はまた、上部４１０及び底部４１２を含んでいてもよい。いくつかの実施の形態では、エンクロージャがその底部の端部で開いているように、底部４１２を省略することができる。上部４１０は、水がエンクロージャの室内に漏れるのをさらに抑制するために、多層材料から形成されていてもよい。図示されているように、底部４１２は、エンクロージャをその場所に保持するための杭またはアンカーが通るループ４１６を含んでいてもよい。また、図示されているように、エンクロージャ４００は、１以上の側部またはその角にストラップ４１８を含むことができる。上述の実施の形態と同様に、ストラップ４１８は、屋根構造のフックまたはコネクタを受けるための開口部を画定することができる。これにより、エンクロージャ４００を１つ以上の他のエンクロージャと連結させて、マルチ・エンクロージャ・アセンブリを形成することができる。
【００４７】
図４に示すように、前壁部４０２、後壁部４０４、第１の側壁部４０６、及び、第２の側壁部４０８のそれぞれは、実質的に直立しており、他の壁部と平行または垂直である。例えば、前壁部４０２は、後壁部４０４と実質的に平行であり、第１及び第２の側壁部に対して実質的に垂直である。言い換えれば、各壁部は平面を画定し、各平面は他の平面に平行または垂直である。さらに、前壁部４０２、後壁部４０４、第１の側壁部４０６、及び、第２の側壁部４０８は、上壁部４１０及び底壁部４１２に対して実質的に垂直である。
【００４８】
このように、上部壁４１０及び底壁部４１２は、互いにほぼ同じ寸法を有しており、前壁部、後壁部及び側壁部は、それぞれ互いにほぼ同じ寸法（例えば高さ及び幅）を有することができる。エンクロージャ４００の室内を占有する人のために、前壁部、後壁部及び側壁部の高さは、ユーザが室内に立つかまたは座ることができるように、適切な大きさにすることができる。さらに、前壁部、後壁部及び側壁部の幅は、椅子（例えば、折り畳み椅子、ローンチェア、車椅子など）が快適に室内に適合することができるような大きさにすることができる。エンクロージャ４００の室内の容積（dimension）及びサイズもまた、本明細書で説明する他のエンクロージャについての適切な考慮事項である。
【００４９】
図４に示した特定の実施の形態では、エンクロージャ４００が前壁部、後壁部及び側壁部に対して実質的に直立した向きを有する場合、２つ以上のエンクロージャを互いに整列させて連結する方が簡単である。より具体的には、図２のものと同様の屋根構造を用いて隣接するエンクロージャ４００を互いに連結すると、隣接するエンクロージャの対向する平行な壁部によってエンクロージャ同士が最小間隔を置いて互いに隣接して配置される。
【００５０】
図４のエンクロージャ４００の構造設計は、エンクロージャ４００と、同様の設計からなるエンクロージャとの間の隙間を最小にすることを可能にする。図１０乃至図１５に示されるようなテーパ状の先細形のエンクロージャも、互いに連続的に接続することもできるが、テーパ状の壁部であるため、隣接するエンクロージャ間に（特に、各エンクロージャの上壁部に向かって）大きな隙間が存在する可能性がある。その結果、ユーザがエンクロージャの外部状態に曝されることなく隣接するエンクロージャ間を通過することを可能にするために、図２に示したものと似た別個の屋根構造が必要となり得る。例えば、エンクロージャの外で雨や雪が降っている場合、（特に隣接するテーパ状エンクロージャの上壁部の間に）大きな隙間が存在する可能性があり、別個の屋根構造が両方のエンクロージャの上部に配置されていないと、ユーザが濡れる可能性がある。テーパ状の壁部に起因して、別個の屋根構造を使用しないと、隣接するテーパ状エンクロージャを相互に接続または取り付けることがさらに難しくなる可能性がある。これにより、ユーザは、単に隣接するテーパ状のテントを互いに連結することに別個の屋根構造を使用することができる。
【００５１】
図５乃至図８には、エンクロージャ４００の異なる壁部をより詳細に示してある。例えば、図５には、ドア５００を備えた前壁部４０２を示してある。ドア５００は、前壁部４０２の大部分を占めるように示されており、ジッパー５０２を介して開閉することができる。ジッパーを操作するために、ジッパー・プル５０４が提供されていてもよい。図示したように、ドア５００は、前壁部４０２の各縁部から、ある距離だけ間隔をあけてある。例えば、ドア５００は、前壁部の底部において、前壁部４０２の外縁部から距離ｄ1離れている。ドア５００は、図５の右側に沿って距離ｄ2離れており、上部において距離ｄ3離れており、左側に沿って距離ｄ4離れている。一態様では、ドア５００と前壁部４０２の外縁との間の距離は、同じであってもよい。あるいは、各縁部で距離が異なってもよい。図５に示すように、ジッパー・プル５０４を引っ張り、ジッパー５０２の周りに引っ張ってドア５００を開けることができる。その際に、図５に示すように、前壁部４０２の左側にヒンジが形成されている。ドア５００は、ヒンジによって、前壁部４０２から離れるように枢動されるか、さもなければ動かされて、ドア開口部を通って出入り（ingress and egress）することができる。
【００５２】
図６には、エンクロージャの後壁部４０４を示してある。ここで、後壁部４０４は、その下部に形成された窓６００を含んでいる。具体的には、後壁部４０４は、図６に示すような全高（overall height）を有し、壁の下縁部から高さＨ1に縫い目６０６が画定されている。後壁部４０４の上部は、カバー６０８を含んでいる。
【００５３】
窓６００は、ジッパー６０２を介して開くことができる。ジッパー・プル６０４を使用して、ジッパーを操作して窓６００を開くことができる。窓６００は、図６に示すように半円形である。窓６００の下縁部は、後壁部４０４の下縁部から距離ｄ5に配置されている。窓は、後壁部４０４の左側の外縁部から距離ｄ6離れており、右側の外縁部から距離ｄ7離れている。これらの距離は一実施の形態では同じであってもよいが、他の実施の形態ではこれらの距離は異なってもよい。図６では、右側・左側の距離ｄ6及びｄ7は、底部の距離ｄ5よりも小さくてもよい。他の実施の形態では、後壁部４０４の下半分または上半分の全体が、各距離がほぼゼロになるように窓を形成することができる。この開示では、他の窓の大きさが考えられる。
【００５４】
図７を参照すると、ドア７００が第１の側壁部４０６に画定されている。ドア７００は、ジッパー７０２によって第１の側壁部４０６に取り外し可能に結合されていてもよい。ドアを開状態、閉状態、またはその間の任意の状態にするように、ジッパー７０２を操作するのにジッパー・プル７０４を使用してもよい。図示されているように、ジッパー７０２は、第１の端部７１０及び第２の端部７１２を有している。ジッパー・プル７０４は、ドア７００が閉状態のとき第１の端部７１０に配置され、ジッパー・プル７０４は、ドア７００が開状態のとき第２の端部７１２に配置されていてもよい。
【００５５】
図７には、第１のジッパー端部７１０と第２のジッパー端部７１２との間の第１の側壁部４０６に画定された非ジッパー領域７１４を示してある。この領域７１４は、図７に示すように、スペースまたはギャップ"ｇ"で定義されていてもよい。同様に、図７に示すように、非ジッパー領域７１４は、エンクロージャ４００の後方部７０８に向かって配置された、第１の側壁部４０６に配置されている。明確にするために、後壁部４０６は、エンクロージャ４００の後方部７０８に向かって配置されており、前壁部４０２は、前方部７０６に向かって配置されている。この実施の形態では、非ジッパー領域７１４は、ドア・ヒンジ（door hinge）として機能することができる。ドア７００が完全に開状態（すなわち、ジッパー・プル７０４が第２のジッパー端部７１２に位置した状態）になるように、ジッパー・プル７０４でジッパー７０２を操作すると、ドア７００を、エンクロージャの後方部７０８に向かって引っ張るまたは折り畳むことができるようになる。ドア７００を後壁部４０４、または、少なくともエンクロージャ４００の後方部７０８と結合するのにベルクロ（登録商標）、スナップ、ラッチ、フック等の結合機構を使用することができる。したがって、ユーザがエンクロージャ４００を占有していて、ドア７００を開いている場合、ドア７００は、前方部７０６ではなく、エンクロージャ４００の後方部７０８に配置されている。ドア７００が前方部７０６にあると、エンクロージャ４００内にいるユーザの視界を妨げる（interfere）または遮る（obstruct）。もちろん、これは、ドアがエンクロージャの前方部７０６に折り畳まれるかまたは配置され得る他の実施の形態においては、逆にされてもよい。さらに別の実施の形態では、ドア７００を第１の側壁部４０６から完全に取り外すことが可能であってもよい。
【００５６】
別の実施の形態では、ドア７００は、ジッパー以外の結合手段によって第１の側壁部４０６に取り外し可能に結合されていてもよい。スナップ、クリップ、ラッチ、フック等の他の選択的に留めることが可能な機構を用いて、ドアを対応する壁部に選択的に結合することができる。
【００５７】
図８には、第２の側壁部４０８を示してある。図７の教示は、図８にも適用することができる。ここでは、第２の側壁部４０８に第２のドア８００が形成され、ドア８００は壁部の実質的な部分を占めている。例えば、ドア８００は、第２の側壁部４０８の外縁から距離"ｘ"だけ距離をあけていてもよい。他の実施形態では、ドアと第２の側壁部の外縁との間の距離が異なってもよい。１つの非排他的な例において、距離"ｘ"は、２乃至１０インチの間であってもよい。第２の非排他的な例では、距離"ｘ"は、２０インチ未満であってもよい。別の非排他的な例では、距離"ｘ"は、約０インチであってもよい。距離"ｘ"は、側壁部に対するドア８００の所望のサイズに基づく任意の値とすることができる。
【００５８】
図７と同様に、ドア８００は、ジッパー８０２を介して第２の側壁部４０８に選択的に留めることができる。ジッパー８０２は、図８に示すように、ジッパー・プル８０４によって操作することができる。ジッパー８０２は、第１のジッパー端部８０６と、第２のジッパー８０８とを含んでいてもよく、ドア８００がエンクロージャ４００の後方部７０８に向かって配置されるように、この間に非ジッパー領域８１０が画定されている。このように、非ジッパー領域８１０は、ヒンジと同様に機能する。
【００５９】
図９に示す別の実施の形態では、取り外し可能に結合された屋根構造９００を有するエンクロージャ４００を示している。屋根構造９００は、エンクロージャ４００の上壁部４１０と、前壁部４０２、後壁部４０４、第１の側壁部４０６及び第２の側壁部４０８の少なくとも上部分に合う大きさを有している。屋根構造９００は、ナイロン材料で形成することができるが、伸びる任意の伸縮材料または半伸縮材料から形成されていてもよい。少なくとも１つの実施の形態では伸縮材料であることが望ましいが、他の実施の形態では、屋根構造９００は、非伸縮性であるが、エンクロージャ４００の上に適切に適合するようなサイズにすることができる。
【００６０】
屋根構造９００は、１つ以上のコネクタ９０２を含むことができる。各コネクタ９０２は、図９に示すように、フック・エンド９０４を含むことができる。ここで、各コネクタ９０２は、屋根構造９００を結合するため、エンクロージャ４００上のストラップ４１８のうちの１つと係合または結合されていてもよい。フック・エンド９０４は、ストラップ４１８に形成された開口部を通って取り付け、結合ステップを完了する。結合されると、屋根構造９００は、雨、水、雪、風、昆虫などからのさらなる保護を提供することができる。さらに、屋根構造９００は、２つ以上のエンクロージャを互いに結合してマルチ・エンクロージャ・アセンブリを形成するために使用されてもよい。
【００６１】
図１０には、エンクロージャ１０００の別の実施の形態を示してある。このエンクロージャ１０００は、テーパ状エンクロージャであり、エンクロージャのベース部はその上部よりも大きい。エンクロージャ１０００は、前壁部１００２、後壁部１００４、第１の側壁部１００６、第２の側壁部１００８、上壁部１０１０、及び、底壁部１０１２を含んでもよい。テーパ状のデザインでは、底壁部１０１２は、上壁部１０１０よりも大きい。前壁部、後壁部及び側壁部は、個々のフレーム部材１０１４によって形成されてもよい。各フレーム部材１０１４は、円形、楕円形、または卵形であってもよい。しかしながら、本開示は、これらの形状に限定されず、フレーム部材１０１４は、長方形、三角形、四角形、五角形、六角形、八角形、または任意の他のタイプの形状を含んでもよい。
【００６２】
この図示した実施の形態では、前壁部、後壁部及び側壁部は、実質的に透明であるように示している。この開示は、異なる壁の色、大きさ、形状または色合い（tint）に限定されない。いくつかの実施の形態では、各壁部は透明であってもよい。他の実施の形態では、各壁部は半透明であってもよい。さらに他の実施の形態では、各壁部は不透明（opaque or non-transparent）であってもよい。さらに別の実施の形態では、壁部は、透明、半透明、及び、不透明の組み合わせであってもよい。図６では、例えば、上方の後方部カバー６０８は、硬い（solid）不透明な材料であってもよいが、窓６００は透明であってもよい。本開示に記載された各実施の形態は、透明性の任意の組み合わせを有することができ、ユーザは、所望に応じて、エンクロージャのタイプを選択的に購入することができる。
【００６３】
図１０に図示した実施の形態に戻ると、エンクロージャ１０００は、上述のものと同様のアンカー・ストラップまたはループ１０１６及び屋根接続ストラップ１０１８も含むことができる。前壁部１００２には、ドア１０２０が形成されていてもよい。ドア１０２０は、ジッパーまたは任意の他の結合手段を介して、前壁部１００２に選択的に留めていてもよい。ドア１０２０は、前壁部１００２の実質的な部分を占めることができるが、これはすべての実施の形態において必ずしも必要ではない。むしろ、いくつかの実施の形態では、ドア１０２０は、意図された使用目的のために適切に寸法決めされていてもよい。例えば、子供のために設計されたエンクロージャは、図１０に示したものよりも小さいドアを有していてもよい。
【００６４】
図１１に示すように、窓１０２２は、後壁部１００４、第１の側壁部１００６、または、第２の側壁部１００８に形成することができる。窓１０２２は、ジッパー１１０４（図１１）またはその他の結合手段を介して、それぞれの壁部に選択的に結合することができる。窓１０２２を選択的に開閉するため、ジッパー・プル１１０６を使用することができる。図１１では、縫い目１１０２で、第１の側壁部１００６を第１の部分または上部分と、第２の部分または下部分に分けることができる。窓１０２２は、側壁部の第１の部分に窓１０２２を形成することができ、一方、第２の部分にソリッド・カバー１１００を形成することができる。
【００６５】
図１０及び図１１に示した実施の形態では、エンクロージャ１０００は１以上の二次窓（secondary window）１０２４を含むことができる。例えば、カメラマンが二次窓１０２４を使用することができる。選択的に窓を開け、窓にカメラを通し、イベント（例えば、ユース・スポーツ・イベント（youth sporting event））を撮影または記録できる。図１０に示すように、二次窓１０２４は、ドア１００２または窓１０２０に形成されていてもよい。二次窓１０２４は、ジッパー１１０８を介して、前壁部１００２若しくはドア１０２０に、または、第１の側壁部１００６若しくは窓１０２２に選択的に結合されていてもよい。ジッパーを操作するために第２のジッパー・プル１１１０を使用し、二次窓１０２４を選択的に開閉することができる。
【００６６】
図１１を参照すると、二次窓１０２４は、窓１０２２内に形成されている。窓１０２２は、図１１に示した幅Ｗwを有していてもよく、二次窓１０２４は、幅Ｗpを有していてもよい。ここで、ＷwはＷpよりも大きい。二次窓１０２４は、縫い目１１０２と並んだ下縁部を有しており、開いた場合、窓１０２２と比較して、狭い開口部を有している。非排他的な例では、二次窓は、窓１０２２の幅の約１／４の幅を有している。他の例では、二次窓１０２４は、窓１０２２の幅の１／２よりも小さい幅を有している。他の類似のサイズも可能である。
【００６７】
上述のように、エンクロージャ１０００は、テーパ状のエンクロージャとして設計されている。ここで、各壁部は、幅Ｗ1を有するベース縁部または下縁部と、幅Ｗ2を有する上縁部とを有していてもよい。各壁部の側縁部（side edge）は、下端部から上端部に向かうにしたがって狭くなる。壁部の狭小化は、図１１に示すように、角度Θに対応することができる。角度Θは、３０°未満であってもよい。別の実施の形態では、角度Θは、１５°未満であってもよい。さらに、角度Θは、約２〜１０°の間であってもよい。
【００６８】
二次窓１０２４は、テーパ状デザインを考慮して図示及び説明してあるが、二次窓１０２４は、図４に示した直立したまたは四角形デザインにも使用することができる。したがって、二次窓１０２４は、本明細書に記載されている他の特徴と同様、任意の異なるエンクロージャに使用することができる。
【００６９】
エンクロージャ１２００のさらなる実施の形態を図１２に示している。エンクロージャ１２００は、二次窓を有していないが、図１０の上述のエンクロージャ１０００と同様である。図１２において、エンクロージャ１２００は、前壁部１２０２、後壁部１２０４、第１の側壁部１２０６、第２の側壁部１２０８、上壁部１２１０、及び、底壁部１２１２を含んでいてもよい。テーパ状の先細のデザインでは、底壁部１２１２は、上壁部１２１０よりも大きい。前壁部、後壁部及び側壁部は、個々のフレーム部材１２１４によって形成されていてもよい。各フレーム部材１２１４は、円形、楕円形、または卵形であってもよい。しかしながら、本開示は、これらの形状に限定されず、フレーム部材１２１４は、長方形、三角形、四角形、五角形、六角形、八角形、または任意の他のタイプの形状を含んでもよい。
【００７０】
エンクロージャ１２００はまた、前述したものと同様のアンカー・ストラップまたはループ１２１６と、屋根接続ストラップ１２１８とを含むことができる。したがって、図１２のエンクロージャ１２００とともに、図９に示したと同様の取り外し可能な屋根を使用することができる。
【００７１】
図１３及び図１４には、エンクロージャ１２００をより詳細に示してある。図１３には、例えば前壁部１２０２を示しており、図１４には、後壁部１２０４を示してある。前壁部１２０２は、ドア１３００が画定された状態で示されている。ドア１３００は、前壁部１２０２の実質的な部分を占めており、ドア１３００の縁部からドア１３００の外縁を分離する間隔ｙ1のみ有している。ドア１３００は、ジッパー１３０２を介して前壁部１２０２に選択的に結合されていてもよい。ジッパー１３０２は、ジッパー・プル１３０４を介して、開状態と閉状態の間で操作することができる。図１３には、２つのジッパー・プル１３０４を示してある。他の実施の形態では、任意の数のジッパー・プルがあってもよく、したがって、必ずしも２つのプルは必要ではない。
【００７２】
ジッパー１３０２は、第１のジッパー端部１３０６及び第２のジッパー端部１３０８を有している。ジッパー端部の間の領域１３１０は、ヒンジ状領域（hinge-like area）を画定し、ドア１３００が枢動可能であるかまたはエンクロージャの異なる側に折り畳まれる。図１３において、ヒンジ１３１０はドア１３００の左側に配置されているが、これは他の実施の形態では異なっていてもよい。例えば、ヒンジ１３１０は、壁部の上部または右側に配置されていてもよい。上部にある場合には、ドア１３００を開いて上部壁１２１０の上に折り畳むことができる。ドア１３００は、ドアを開状態に留めるまたは保持する他のコネクタと係合するベルクロ（登録商標）、スナップ、ラッチ、フック等のコネクタを含んでもよい。
【００７３】
図１４には、エンクロージャ１２００の後壁部１２０４を示してある。ここで、後壁部１２０４は、ドア１４００が画定された状態で示されている。ドア１４００は、ジッパー１４０２を介して後前壁部１２０４に選択的に結合されていてもよい。ジッパー１４０２を開状態と閉状態の間で操作するため、１以上のジッパー・プル１４０４を使用することができる。同様に、ジッパー１４０２は、第１のジッパー端部１４０６及び第２のジッパー端部１４０８を含んでもよい。図１４では、ドア１４００は、後壁部１２０４の頂部の近くにジッパー端部が配置されるようになっている。シェード（shade）またはカバー１４１０は、ジッパー１４０２の間またはその上の位置に形成されている。
【００７４】
図１４に示すように、ドア１４００は、後壁部１２０４の下縁部から距離ｙ2だけ距離をあけた下縁部を有することができる。この距離ｙ2は、図１３に示した距離ｙ1よりも小さい。距離ｙ2は、１〜２インチ未満であってもよい。別の実施の形態では、距離ｙ2は、５５インチ未満であってもよい。いずれにせよ、距離ｙ2は距離ｙ1より小さい。壁部の下（したがって、地面）からドア１６００の下を隔てるギャップが小さいことで、ドア開口部を介して車椅子をエンクロージャ１２００内に容易に運び入れることができる。
【００７５】
図１５には、エンクロージャ１５００の異なる実施の形態を示してある。エンクロージャ１５００は、上述のものと同様の複数の壁部を含むことができる。ここで、エンクロージャ１５００は、前壁部１５０２、後壁部１５０４、第１の側壁部１５０６、第２の側壁部１５０８、上壁部１５１０、及び、底壁部１５１２を含む。前の実施の形態と同様に、フレーム部材１５１４は、各壁部、特に前壁部、後壁部及び側壁部をサポートする。エンクロージャ１５００は、エンクロージャ１５００を所定の位置に固定するためのアンカー・ストラップまたはループ１５１６を含むことができる。
【００７６】
ストラップ１５１８は、図１６に示すように、屋根構造１６００に結合するために、エンクロージャ１５００の１つ以上の位置に結合されていてもよい。ここで、屋根構造１６００は、それぞれがフック・エンド１６０４を含む１以上のコネクタ１６０２を含んでもよい。フック・エンド１６０４は、屋根構造１６００をエンクロージャ１５００に結合するため、ストラップ１５１８の開口部を通して配置されてもよい。
【００７７】
エンクロージャ１５００はまた、前壁部１５０２に画定された窓１５２０を含むことができる。窓１５２０は、ジッパー１５２２を介して、前壁部１５０２に選択的に留めることができる。ジッパー・プル１５２４は、ジッパー１５２２を操作するのに使用することができ、開状態と閉状態の間で窓１５２０を位置決めすることができる。
【００７８】
ユーザがエンクロージャ１５００に出入りすることを可能にするために、少なくとも第１の側壁部１５０６にドア１５２６を形成することができる。ドア１５２６は、ジッパー１５２８を介して側壁部に選択的に留めることができる。ドア１５２６を開閉するように、ジッパー１５２８を操作するために、１以上のジッパー・プル１５３０を使用することができる。
【００７９】
エンクロージャ１７００のさらなる実施の形態を図１７に示してある。このエンクロージャ１７００は、複数の壁を有するテーパ状のデザインを含む。例えば、エンクロージャ１７００は、前壁部１７０２、後壁部１７０４、第１の側壁部１７０６、第２の側壁部１７０８、上壁部１７１０、及び、底壁部１７１２を含むことができる。前の実施の形態と同様に、フレーム部材１７１４は、各壁部、特に前壁部、後壁部及び側壁部をサポートする。エンクロージャ１７００は、エンクロージャ１５００を所定の位置に固定するためのアンカー・ストラップまたはループ１７１６、及び、別個の屋根構造（図示せず）を結合するためのストラップまたはフック１７１８を含むことができる。
【００８０】
前壁部１７０２は、そこに画定されたドア１７２０を含むことができ、第１の側壁部１７０６は、そこに画定された窓１７２６を含むことができる。ドア１７２０は、ジッパー１７２２を介して、前壁部１７０２に選択的に留めることができる。ジッパー・プル１７２４を使用して、ジッパー１７２２を操作して、ドア１７２０を開閉することができる。同様に、窓１７２６は、ジッパー１７２８を介して、第１の側壁１７０６に選択的に留めることができる。ジッパー・プル１７３０を使用して、窓１７２６を開位置と閉位置との間で操作することができる。図１７にも示されているように、追加のサポートを提供するために、１つ以上の補強タブ（reinforcement tabs）１７３２を隣接する壁部の間に結合することができる。タブ１７３２は、各フレーム部材をタブでクリップして、隣接する壁のフレーム部材を結合することができる。いずれにしても、タブ１７３２は、エンクロージャ１７００全体に追加のサポート及び剛性を提供する。これらのタブは、上述の任意のエンクロージャに使用することができる。
【００８１】
上述のように、各エンクロージャは、格納状態または搬送状態に折り畳まれるように設計されていてもよい。これにより、エンクロージャを車両のトランクに容易に格納し、スポーツ・イベント、コンサート等に輸送することが可能になる。同様に、エンクロージャは、その折り畳まれた収納状態から、その直立位置に容易に構成されて、イベントで使用することができる。それぞれの壁部のフレーム部材は、エンクロージャがその直立状態に向かって容易かつ簡単に偏るようなもの（biases）であってもよい。これは、ツールやアセンブリを必要としないポップアップスタイルのテントに似ている。
【００８２】
図１９には、直立したエンクロージャをその格納状態に折るまたは折り畳む工程または方法１９００を示してある。方法１９００は、実行のための複数のブロックを含む。各ブロックは、工程を完了するための１以上のステップを含むことができる。この工程は一例に過ぎず、エンクロージャを折り畳むために他の方法を使用することができる。
【００８３】
図１９において、方法１９００は、例えば図４に示されているように、エンクロージャを直立状態にして実行することができる。この実施の形態の目的のために、図４に示したエンクロージャ４００を参照するが、本開示に表した任意のエンクロージャに同じ工程を適用できることは理解される。ブロック１９０２では、全ての窓６００を閉じる。全ての窓を閉じたら、方法１９００を、ブロック１９０４に進め、ドアのうちの１つを開ける。例えば、図４では、ジッパー・プル５０４でジッパー５０２を開けて、前方ドア５００を開くことができる。ドアを開けてから、前方ドア５００を折り畳むか、そうでなければ、エンクロージャ４００の室内に配置することができる。
【００８４】
前方ドア５００をエンクロージャ４００の室内に配置すると、方法をブロック１９０６に進める。ブロック１９０６では、エンクロージャ４００の後壁部４０４が地面に置かれるように、エンクロージャ４００を再配置する。この状態で、方法１９００をブロック１９０８に進める。ブロック１９０８では、一方の側部（例えば第１の側壁部４０６）を内側に向かって、且つ、後壁部４０４に向かって折り畳む。このようにすると、第１の側壁部４０６のフレーム部材４１４は、折られたまたは適切に位置合わせしていない状態になってもよい。したがって、ブロック１９１０では、第１の側壁部４０６のフレーム部材４１４を伸ばし、後壁部４０４のフレーム部材４１４及び第２の側壁部４０８のフレーム部材４１４と並ぶようにする。
【００８５】
第１の側壁部４０６のフレーム部材４１４を適切に位置合わせすると、方法１９００を、ブロック１９１２に進める。ブロック１９１２では、第２の側壁部４０８を内側に向かって、且つ、第１の側壁部４０６と接触するように折り畳む。この構成では、第２の側壁部４０８は、後壁部４０８の上に配置された第１の側壁部４０６の上に配置されている。前壁部４０２は、前壁部、後壁部、及び、両側壁部が互いに重なり合って積み重ねられ、エンクロージャ４００が地面に対して平らな状態になるように、第１の側壁部４０６または第２の側壁部４０８のいずれかと折り畳まれていてもよい。
【００８６】
ブロック１９１２を実行したら、方法１９００を、ブロック１９１４に進める。ブロック１９１４では、上壁部及び底壁部を前壁部、後壁部、及び、側壁部の間に押し込み（tucked inbetween）、折り畳まれたエンクロージャを形成する。方法１９００を、ブロック１９１６に進める。ブロック１９１６では、ユーザは、折り畳まれたエンクロージャの上半分を下半分に向かって折り畳むことができる。折り畳まれたエンクロージャの上半分と下半分の間に間隔またはギャップを画定し、ブロック１９１８では、上半分の上縁部を下半分に向かって内側に（すなわち、下に）丸めてもよい。ブロック１９２０では、折り畳まれたエンクロージャの下半分に当たるまで、折り畳まれたエンクロージャの上半分の一方の縁部または一方の側をひねって押し下げることで、方法１９００をさらに実行する。この状態で、エンクロージャ全体が折り畳まれたまたは折られた状態になるまで、折り畳まれたエンクロージャの上半分の反対の縁部または側をひねって押し下げることで、ブロック１９２２を実行できる。この状態で、エンクロージャは、容易に保管または輸送することができる。さらに、この状態では、エンクロージャは、ブロック１９１２における平らな状態に比べて、おおざっぱに半分または半分より小さいサイズである。
【００８７】
本開示において、エンクロージャは、キットとして提供されてもよく、キットとしてパッケージされていてもよい。キットには、エンクロージャを地面にしっかりと固定するために使用できる１つ以上の杭を含めることができる。さらに、折り畳まれた状態のエンクロージャ及び杭を保管するためのキャリング・ケースまたはバッグがキットの一部であってもよい。
【００８８】
以上、本開示の原理を具体化した例示的な実施の形態を開示したが、本開示は開示した実施の形態に限定されない。むしろ、本出願は、その一般原則を使用して、本発明のあらゆる変形、使用、または適合をカバーすることを意図している。さらに、本出願は、本開示が関連し、添付の請求項の範囲内に入る、当業者に知られている、または慣習的な実施の形態に入る本開示からのそのような逸脱をカバーすることが意図されている。
【図１】
2018513294.tif 000003
【図２】
2018513294.tif 000004
【図３】
2018513294.tif 000005
【図４】
2018513294.tif 000006
【図５】
2018513294.tif 000007
【図６】
2018513294.tif 000008
【図７】
2018513294.tif 000009
【図８】
2018513294.tif 000010
【図９】
2018513294.tif 000011
【図１０】
2018513294.tif 000012
【図１１】
2018513294.tif 000013
【図１２】
2018513294.tif 000014
【図１３】
2018513294.tif 000015
【図１４】
2018513294.tif 000016
【図１５】
2018513294.tif 000017
【図１６】
2018513294.tif 000018
【図１７】
2018513294.tif 000019
【図１８】
2018513294.tif 000020
【図１９】
2018513294.tif 000021
【国際調査報告】
2018513294.tif 000022
2018513294.tif 000023